(57)【要約】  ホッパー（６）から供給されるフィルター（２）は、回転ドラム（１１）の外周に設けられた吸気用溝（１３）によって捕捉され、空気圧供給ダクト（５）へ移送され、一本ずつ順番にフィルターチップ装着機に向けてダクトに沿って推進される。ドラム（１１）の下方に設けられる移送ステーション（２７）は、ボディー（１４）によって占められており、その第１の部分は窪んだシール用部材（１９）として機能し、ドラム（１１）の円筒面と接触する第１の位置と、ドラム（１１）と離れた第２の位置の間を移動可能である。供給ダクト（５）は、ボディー（１４）の第２の部分（２０）に組み込まれた導管（２９）を含み、そこでシール用部材（１９）と合体する。したがって、シール用部材がドラム（１１）から離れると、導管（２９）の反対側の端部が露出して接近可能であれば、運転者はダクトの清掃や詰まりの除去が可能となる。
2008509060.tif 000002
【特許請求の範囲】
【請求項１】
物品（２）を供給する手段（３）と、
物品（２）がユーザーの機械（４）まで運ばれる空気圧供給ダクト（５）と、
物品（２）が供給手段（３）から捕捉され、溝（１３）が空気圧供給ダクト（５）の供給口に軸方向に一直線上となる位置に運ばれる移送ステーション（２７）を通って空気圧供給ダクト（５）へと移送される複数の軸方向の吸気用溝（１３）が備えられた、関係する軸（１２）周りに回転可能なドラム（１１）と、
ドラム（１１）の円筒状の表面に向かって進み、これと適合する円筒状に窪んだ表面（２２）を有しており、移送ステーション（２７）でドラム（１１）の円筒状の表面と実質的に接触する第１の位置と、ドラム（１１）から離れた第２の位置との間を移動可能なシール用部材（１９）と、を備える、具体的には紙巻タバコのフィルター（２）のような棒状の物品を移送するための装置であって、
上記空気圧供給ダクト（５）は、シール用部材（１９）と一体化して具体化された可動部分（２９）と、
シール用部材（１９）が上記第１の位置を占めるとき、ドラム（１１）の溝（１３）と上記ダクト（５）の固定部分（５ａ）との間の連結が確立する供給口（２８）としての機能と、を具備する、
ことを特徴とする棒状物品の移送装置。
【請求項２】
空気圧供給ダクト（５）は、さらに、吸気口部分（２８）と固定部分（５ａ）との間に設けられ、空気圧供給ダクト（５）の吸気口部分（２８）と接触する運転位置から、吸気口部分（２８）と離れた運転位置まで、個別の駆動手段５１により動作可能である継ぎ手部分（４９）を備える、
請求項１に記載の装置。
【請求項３】
シール用部材（１９）は、ドラム（１１）の回転軸（１２）方向への横移動能力のある個別の支持手段（３１）に、実質的にドラムと接触する第１の位置と、ドラムから離れた第２の位置との間を往復する方法で取付けられ、
上記装置は、さらに、支持手段（３１）とシール用部材（１９）との間に設けられ、これにより部材（１９）と空気圧供給ダクト（５）の可動部分（２９）がドラム（１１）の回転軸（１２）と平行な方向へスライド動作を行えるスライド手段（３０）を備える、
請求項１又は請求項２に記載の装置。
【請求項４】
シール用部材（１９）と空気圧供給ダクト（５）の可動部分（２９）は、可動部分（２９）がドラム（１１）の溝（１３）と連結されている第１の運転位置と、可動部分（２９）がドラム（１１）の溝（１３）と切り離され、供給ダクト（５）の空気圧の連続性が絶たれている第２の位置との間のスライド動作が可能である、
請求項３に記載の装置。
【請求項５】
継ぎ手部分（４９）が、駆動手段（５１）によって個別に、空気圧供給ダクト（５）の吸気口部分（２８）との接触位置と、上記吸気口部分（２８）から離れた位置との間を動かされる結果として、第１及び第２の位置で、可動吸気口部分（２９）とドラム（１１）の溝（１３）が、個別に、連結又は分離される、
請求項２に記載され、かつ、請求項３に記載され、かつ、請求項４に記載された装置。
【請求項６】
駆動手段（５１）により継ぎ手部分（４９）に加えられる作用は、バネ手段（４７）により反作用を受ける、
請求項５に記載の装置。
【請求項７】
シール用部材（１９）を構成する第１の部分と、空気圧供給ダクト（５）の可動部分（２９）を構成する導管（２９）を組み込んだ第２の部分（２０）とからなるボディー（１４）を備える、
請求項１ないし６のいずれかに記載の装置。
【請求項８】
ボディー（１４）の第２の部分（２０）は、窪んだ表面（２２）に隣接する垂直面（２５）を有し、ドラム（１１）の一端面（２１）の有する下方部分（２６）に対して、第２の部分（２０）が、空気圧の連続性が確立する第１の運転位置を占めるときは下方部分（２６）と接触し、第２の部分（２０）が、第２の運転位置を占めるときは下方部分（２６）から分離する、
請求項７に記載の装置。
【発明の詳細な説明】
【技術分野】
【０００１】
本発明は、例えば紙巻タバコのフィルターのような棒状の物品の移送用装置に関する。
【０００２】
わけても本発明は、フィルター製造機の出側に設置されるインラインの貯蔵ユニットから、フィルターチップの取付け機を構成するフィードホッパーに連結される空気圧供給ダクトの入り口までの、フィルター移送用装置に関する。
【背景技術】
【０００３】
先行技術としては、例えば米国特許第３，８２７，７５７号に開示されているような、長手方向を水平にして積み重ねられたフィルターの塊で満たされたマガジンケースを構成する装置が含まれる。フィルターは一本ずつ空気圧供給ダクトの入り口まで搬送され、そこからそれぞれフィルター自身の軸と平行な方向にダクトに沿って推進される。
【０００４】
上記のマガジンケースの底からダクトの入り口までのフィルターの移送用装置は、典型的には、水平軸周りに回転し、個々のフィルターの軸と平行に配置されたドラムを構成する手段であって、その周囲にはそれぞれが１本のフィルターに適合できる、回転軸に平行に延びる吸引溝が配置されている。
【０００５】
フィルターはマガジンからドラムの溝の中に重力で落下し、外周上でおよそ１８０度回転した後、圧縮空気によってそれぞれ順番に注ぎ込まれる移送ステーションに１本ずつ連続して運ばれ、フィルターチップの装着機に向かって空気圧ダクトに沿って導かれる。
【０００６】
米国特許第３，８２７，７５７号に開示された装置は、さらに、ドラムの底部と結合される、上記ドラムの円筒面に対応する円筒状に窪んだ表面のシール用部材を含む。
【０００７】
シール用部材は、実質的にドラムの円筒面に接触し、装置の運転時にドラムの溝を覆う上昇した第一のポジションと、日常の清掃、又はフィルターがドラムの一つの溝や、空気圧ダクトの入り口に固く張り付いた場合に起こりうる詰まりの除去のような他の整備操作を行えるように、ドラムから離され下降した第二のポジションとの間の垂直動作が可能である。
【０００８】
しかしながら、あるタイプの詰まりに関しては、特にフィルターがダクトの入り口に完全に、又はほとんど完全に挿入されている場合は、たとえシール用部材が移送ステーションから離れている時でも、フィルターを除去することは極めて困難であるということが知られている。
【発明の開示】
【発明が解決しようとする課題】
【０００９】
本発明の目的は、典型的には紙巻タバコのフィルターのような棒状の物品の移送用装置であって、上記問題における欠点に影響されず、かつ、単純で簡単な実施形態の棒状物品の移送用装置を提供することである。
【課題を解決するための手段】
【００１０】
上述の目的は、その特徴的な機構が添付の請求項１に述べられている、典型的には紙巻タバコのフィルターのような棒状物品の移送用装置に関する本発明によって実現する。
【発明を実施するための最良の形態】
【００１１】
以下に、本発明について、実施例により添付の図を用いて詳細に説明する。
【００１２】
図１及び図５を参照すると、符号１は、紙巻タバコのフィルターのような棒状物品が供給手段３から、ブロック４によって図式的に表されたフィルターチップ装着機のようなユーザーの機器まで、空気圧供給ダクト５によって移送される本装置の全体を表わす。
【００１３】
問題の供給装置３は、ホッパー６と、それぞれ両側の壁９及び１０と相互に接続された、符号７、８で表わされる前壁及び後壁とからなっている。フィルター２は、底部でドラム１１に取り囲まれたホッパー６の側壁７及び８に横に積み重ねられる。ドラム１１は、側壁７及び８に水平に伸ばされた中心軸１２の周りに回転可能に設置され、その周囲に、個々のフィルター２に適合できる複数個の吸引溝１３を軸方向に備えている。
【００１４】
図４にも描かれているように、本装置１は、さらに、ドラム１１の下に配設され、ホッパー６と直径方向に対向し、回転軸１２と平行な軸Ａ上に配置された長く引き伸ばされた外観のボディー１４を含んでいる。該ボディー１４の底は、平らな水平面１５であり、側面は軸Ａと平行な２つの垂直面１６であり、一方、これらと直交する側の端部には垂直の裏面１７と垂直の表面１８が配設されている。
【００１５】
ボディー１４は第１の部分、またはドラム１１の真下に位置するシール用部材１９と、図１及び図４の空気圧供給ダクト５の方向に見られるように、ドラム１１の右側の端面２１を越えて延びる第２の部分２０からなる。
【００１６】
前述のシール用部材１９は、円筒状に窪んだ表面２２が、円弧２３（図４参照方）で囲まれた全ての溝１３を覆う半径方向の封鎖部材として機能するように、ドラム１１の円筒面に向かって進み、ぴったりと合わされることで上限を定められている。
【００１７】
第２の部分２０は、平らな水平面２４と、端部ではドラム１１の存在により、窪んだ表面２２に隣接する垂直面２５とによって上限を定められる。図１及び４を注意して見ると、この同じ表面２５は、ドラム１１の右側の端面２１の下部２６と実質的に接触する位置までぴったりと合わされる。
【００１８】
特に、移送ステーション２７において、窪んだ表面２２は、ドラム１１の下部を囲んで封鎖する要素を提供する。移送ステーション２７には、好ましくは回転方向に目印を付けたドラム１１によって個々のフィルター２が向かい、また、移送ステーション２７からは、関係する溝１３が上記ステーション２７を占めるとき、第２の部分２０に組み込まれ、溝１３と一直線上に配置された導管２９の形状の吸入口を通って、個々のフィルター２が供給ダクト５に空気圧で排出される。
【００１９】
特に、ボディー１４の第２の部分に設置される導管２９は、同時に空気圧供給ダクト５の可動部分２９でもあって、図１の運転位置において、ドラム１１の溝１３と空気圧供給ダクト５の固定部分５ａとを連結している吸気口部分２８としての機能も果たす。
【００２０】
図４、６及び７に示されているように、ボディー１４には、スライド手段３０全体が挟み込まれ、軸Ａと平行に往復運動できるように、また、図１及び３で示される２つの限界位置の間の垂直動作を同様に可能にする手段３１全体を支えるために、一緒に組み込まれている。
【００２１】
さらに正確には、スライド手段３０は、ボディー１４の下方に固定されたスライド３２と、上記ボディーの軸Ａと平行に伸びて、反対側の端部でサポート手段３１に固定された２本のスライドレール３３を備える。
【００２２】
スライド３２は、実質的に長方形であって、ボディー１４の軸Ａと平行に伸びた大きな面積を有し、それぞれがレール３３を受け入れる一対の貫通孔３５を備える、２つの横に置かれたブロック３４ａと３４ｂを有している。２つのブロック３４ａと３４ｂはウェブ３６で相互に連結されている。
【００２３】
サポート手段３１は、実質的には細長い長方形の外形を有する骨組枠３７で構成されており、該骨組枠３７は、２本のスライドレール３３の両端が埋め込まれた、２本の横バー３９ａ及び３９ｂにより両端で１つに相互連結された、軸Ａと平行な２本の長手方向のバー３８を備える。
【００２４】
サポート手段３１は、さらに、ブロック４１として図式的に示された駆動手段により往復運動可能であり、スライド３２のウェブ３６に設けられた孔４２を通して挿入され、枠３７の中間を繋ぐ横バー４３の頂端部で固定された垂直軸４０を備える。
【００２５】
中間を繋ぐ横バー４３は、縦バー３８を越えて外側に伸び、垂直軸４０に平行な２本の垂直のガイド棒４６がスライドできるように嵌合するブッシュを各々設けた、２つの突起４４を形成する（図５，６及び７参照方）。
【００２６】
上述の配置によって、駆動手段４１は、ボディー１４を垂直方向にドラム１１の方向へ、または離れる方向へと、ボディー１４自体を軸Ａと平行にスライドする状態のまま移動させることができる（図１及び３をそれぞれ参照方）。
【００２７】
図４、６及び７に見られる左側の横バー３９ａと、これに対応するスライドのブロック３４ａとの間には、スライドレール３３の外周に取付けられた圧縮コイルバネ４８として具体化されたバネ手段４７が配設され、図１に見られるように、スライド３２さらにはボディー１４に対して左から右へと押し力を加えることができる。
【００２８】
導管２９が供給ダクト５の吸気口としての役目を果たす図１の位置を占めているときは、前述の第２の部分２０の直ぐ後段に設置され、ボディー１４の第２の部分に設けられた可動式の導管２９と、ダクト５の固定部分５ａとの間に、空気圧の接合部を構築する継ぎ手部分４９もまた本装置の一部を形成している。
【００２９】
継ぎ手部分４９は、ボディー１４の軸Ａに沿った軸方向動作が可能となっており、特に、固定部分５ａの挿入口を組み込み、かつ、上記継ぎ手部分４９に挿入された管状の要素５０に対してスライド可能となっている。
【００３０】
上述の軸方向動作は、ブロックで示されるこの継ぎ手部分４９専用の駆動手段５１により、２つの限界位置の間で行われる。その一つは、図１に示す継ぎ手部分４９と、ボディー１４の第２の部分に設けられた横前面１８との気密接触位置である。図２に示すもう一つの位置では、継ぎ手部分４９が上記横前面１８から離れており、したがって供給ダクト５の空気圧の連続性は絶たれる。
【００３１】
図２及び７をよく見ると、バネ４８に押し付けられているスライド３２が、対応する枠３７のバー３９ｂからブロック３４ｂに向けて突き出している停止要素５２に当接した時に、継ぎ手部分４９と横前面１８が分離するのがわかるであろう。
【００３２】
運転時は、重力によりホッパー６から降下するフィルター２は、図４に見られるように反時計回りに断続的に回転するドラム１１の溝１３に捕らえられ、それぞれが、圧縮空気源５５に連結されたダクト５４の出口５３と一直線上に位置する移送ステーション２７に１本ずつ運ばれる。
【００３３】
図１を参照し、本移送装置の通常運転を想定すると、１本のフィルター２は、溝１３から供給ダクト５に沿って導管２９、継ぎ手部分４９及びダクト５の固定部分５ａを通って、そこからフィルターチップ装着装置４へと空気圧で推進される。
【００３４】
例えばフィルター２が供給口５の入り口すなわち導管２９の内部で完全に、又は部分的につかえてしまった結果、詰まりが発生した場合、運転者は、上述のような配置において以下のような連続した段階を遂行することで、装置１から障害を取り除くことができる。
【００３５】
図１に示された通常の運転状態、つまり可動部分２９とドラム１１の溝１３とがお互いに接続した状態から始まって、継ぎ手部分４９が駆動手段５１によって管状要素５０上をスライドしてドラム１１から引き離される。
【００３６】
このスライド動作の最初の段階では、ボディー１４はバネ手段４７の力を受けながら、継ぎ手部分４９に従って移動する。すると、第２の部分２０の表面２５が、対応するドラム１１の端面２１から離れても、横前面１８は、初めのうちは上記継ぎ手部分と接触したままである。
【００３７】
第２の部分の表面２５がドラム１１の端面２１から分離されると、可動部分２９はドラム１１の溝１３から切り離され、その結果、供給ダクト５の空気圧の連続性は絶たれる。
【００３８】
スライド動作の第２段階の間、すなわちボディー１４がその限界位置に達して、スライド３２のブロック３４ｂを停止要素５２に当接させた後は、図２に示されるように、ボディー１４の横前面１８は継ぎ手部分４９から切り離される。
【００３９】
この状態において、ボディー１４は制約が無くなり、関係する駆動手段４１により図３の位置へと移動させることが可能となる。
【００４０】
この段階で、導管２９によって占められている位置は、端部が開放されていて作業可能であり、運転者が、例えば空気圧式または機械式の道具を用いるような、必要な補修作業を自由に実施できる。
【００４１】
重要なことは、移送ステーション２７からボディー１４が離されたこの同じ段階においては、可動導管２９と継ぎ手部分４９の入り口の間に詰まっているかもしれないフィルターの除去が容易に行えるということである。
【図面の簡単な説明】
【００４２】
【図１】本発明によって具現化されたフィルター移送用の装置を示す正面図であり、部品の断面とともに図式的に第１の運転位置を示す。
【図２】図１の装置のさらに異なる運転位置を示す図である。
【図３】図１の装置のさらに異なる運転位置を示す図である。
【図４】図１の詳細を図式的に透視図で示した分解斜視図である。
【図５】図１の装置の矢視Ｆを示す正面図であり、他の部品を示すためにある部品を省略して図式的に示す。
【図６】図４の詳細を示す平面図であり、図式的に図１に対応する運転位置を示す。
【図７】図４の詳細を示す平面図であり、図式的に図２に対応する運転位置を示す。
【図１】
2008509060.tif 000003
【図２】
2008509060.tif 000004
【図３】
2008509060.tif 000005
【図４】
2008509060.tif 000006
【図５】
2008509060.tif 000007
【図６】
2008509060.tif 000008
【図７】
2008509060.tif 000009
【国際調査報告】
2008509060.tif 000010
2008509060.tif 000011